(57)【要約】【課題】ロゴマークなどを切り抜いたプレートを用意する必要がなく、構成簡単で安価なディスプレー装置を提供する。【解決手段】照明器具３を外側から取り巻くカバー５は少なくとも天板部６と前板部８が合成樹脂などからなる透明板で作られ、このカバー５の前板部８にロゴマーク１１の表示部を抜くようにスクリーン印刷が施されており、ロゴマーク１１の表示部にもスクリーン印刷が施されており、ロゴマーク１１の表示部を抜くように施されたスクリーン印刷部とロゴマーク１１の表示部との境界でカバーの材料の透明な状態が外方にやや突出するように見えるように構成した。【選択図】図１
0003146340.tif 000002
【実用新案登録請求の範囲】
【請求項１】
照明器具を外側から取り巻くカバーは少なくとも天板部と前板部が合成樹脂などからなる透明板で作られ、このカバーの透明板で作られた部分の所望箇所でロゴマークや絵などの表示部を抜くようにスクリーン印刷が施されており、ロゴマークや絵の表示部を抜くように施されたスクリーン印刷部とロゴマークや絵の表示部との境界でカバーの材料の透明な状態が外方にやや突出するように見えるように構成したことを特徴とするディスプレー装置。
【請求項２】
カバーの前板部にロゴマークや絵の表示部を設け、前板部は下端側がやや前方に突出するように傾斜してなることを特徴とする請求項１記載のディスプレー装置。
【考案の詳細な説明】
【技術分野】
【０００１】
本考案は、商品の展示や宣伝のために使用され、内部の照明器具からの光によりロゴマークや絵などを浮き上がらせるようにしたディスプレー装置に関するものである。
【背景技術】
【０００２】
従来のこの種ディスプレー装置として、ロゴマークなどを裏面側からの光の照射により立体的に浮き上がらせるために、ロゴマークなどを切り抜いてなるプレートをパネルに貼り付けて、その貼り付け部分を２重構造とし、裏面側から光を照射することによりロゴマークなどを切り抜いてなるプレートの貼り付け部分を立体的に浮き上がらせるようにしたものが知られている。
【考案の開示】
【考案が解決しようとする課題】
【０００３】
上記従来のディスプレー装置の構成では、ロゴマークなどを切り抜いたプレートが必要であること、このプレートをパネルに貼り付ける工程が必要であることなどにより、作業工程が多くなり、コストアップになるという問題があった。
【０００４】
本考案の目的は、このような課題を解決するものであり、ロゴマークなどを切り抜いたプレートを用意する必要がなく、構成簡単で安価なディスプレー装置を提供することにある。
【課題を解決するための手段】
【０００５】
本考案の請求項１に記載のディスプレー装置は、照明器具を外側から取り巻くカバーは少なくとも天板部と前板部が合成樹脂などからなる透明板で作られ、このカバーの透明板で作られた部分の所望箇所でロゴマークや絵などの表示部を抜くようにスクリーン印刷が施されており、ロゴマークや絵の表示部を抜くように施されたスクリーン印刷部とロゴマークや絵の表示部との境界でカバーの材料の透明な状態が外方にやや突出するように見えるように構成したことを特徴とする。
【０００６】
請求項２に記載のディスプレー装置は、カバーの前板部にロゴマークや絵の表示部を設け、前板部は下端側がやや前方に突出するように傾斜してなることを特徴とする。
【考案の効果】
【０００７】
以上のように、本考案のディスプレー装置は、スクリーン印刷部とロゴマークや絵の表示部との境界で斜めからカバーの材料の透明な状態が前方にやや突出するように見えることになり、カバーの内部から照明することにより明かりがロゴマークや絵の表示部の周囲から前方に浮き出るように漏れ、ロゴマークや絵の表示部を立体的に発現させることができ、従来のようにロゴマークなどを切り抜いたプレートを用意する必要がなく、構成簡単で安価なディスプレー装置を提供することができる。また、下端側がやや前方に突出するように傾斜するカバーにロゴマークや絵の表示部を設けることにより、前板部を正面あるいは斜め側方から見たときに前板部のスクリーン印刷部とロゴマークや絵の表示部との境界で前板部の材料の透明な状態が前方にやや突出するように見えることになり、ディスプレー効果を向上させることができる。
【考案を実施するための最良の形態】
【０００８】
以下、本考案の一実施の形態を、図１〜図５を用いて具体的に説明する。
図において、１は蛍光灯２を含む照明器具３を載せて固定してなるアクリルなどの合成樹脂材料からなる不透明な底板で、この底板１の後端部には底板１から直角に立ち上がる後板４が設けられている。５は透明なアクリルなどの合成樹脂製の板に印刷を施してなるカバーで、天板部６と、左右両側の側板部７，７と、前板部８と、後板部９とからなり、後板部９が前記底板１の後板４の内面に重なってねじ１０で底板１に結合されるようになっている。なお、前板部８は下端側がやや前方に突出するように傾斜している。
【０００９】
ところで、前記カバー５は側板部７，７が不透明となるように内面に黒色のインクを用いてスクリーン印刷が施されており、天板部６の内面に対しては濃い色、例えば青色のインクで全面にスクリーン印刷が施されている。つまり、この天板部６では蛍光灯２の明かりが僅かに透過できるようになっている。前板部８の内面に対してはロゴマーク１１の文字を抜いた状態で天板部６同様に濃い色、例えば青色のインクでロゴマーク１１の表示部を除く全面にスクリーン印刷が施される。１２は前板部８の内面の濃い色のインクのスクリーン印刷部である。濃い色のインクのスクリーン印刷が施されていないロゴマーク１１の表示部は前板部８の内面側で淡い色のインクでスクリーン印刷が施されているとともに、前板部８の外面側でも淡い色のインクでスクリーン印刷が施されている。なお図中、１３は前記底板１の後板４の外面に前面が重なって接合されている厚紙製の商品載せ台で、上端は天板部６と面一状となるように作られており、この商品載せ台１３とカバー５の天板部６上に跨って商品を載せることができるようになっている。
【００１０】
以上のような構成により、前板部８のロゴマーク１１の表示部と、前板部８の内面の濃い色のインクのスクリーン印刷部１２との境界部において前板部８に対して直角な角度からは前板部８の材料の透明な状態は見えないが、前述のように前板部８は下端側がやや前方に突出するように傾斜していることから前板部８を正面あるいは斜め側方から見たときに前板部８の内面の濃い色のインクのスクリーン印刷部１２とロゴマーク１１が表示部との境界で前板部８の材料の透明な状態が前方にやや突出するように見えることになる。そこで、前記蛍光灯２を点灯させると、前板部８の内面の濃い色のインクのスクリーン印刷部１２や内面が濃い色のインクで全面にスクリーン印刷が施された天板部６は共に蛍光灯２の明かりが僅かに透過した状態となり、ロゴマーク１１の表示部は蛍光灯２の明かりにより明るく表示されるとともに前板部８の内面の濃い色のインクのスクリーン印刷部１２とロゴマーク１１が表示部との境界からは下端側がやや前方に突出するように傾斜している前板部８を正面あるいは斜め側方から見たときに蛍光灯２の明かりがロゴマーク１１の周囲から前方に浮き出るように漏れ、ロゴマーク１１を立体的に発現させることができる。
【００１１】
以上、本考案の一実施の形態について述べたが、前記側板部７は不透明となっているが、天板部６と同様に明かりが僅かに透過するように構成しても良い。また、側板部７の材料として始めから黒色の材料を使用するようにしても良く、その場合側板部７には黒色のインクでスクリーン印刷を施す必要がない。また、前記天板部６や前板部８のスクリーン印刷部１２の色も不透明となるように黒色などであっても良い。また、ロゴマーク１１の部分の色は濃い色であっても、不透明となるように黒色などであっても良いが、特にロゴマーク１１の部分は印刷を施さないで透明のままであっても良い。要するに、少なくとも前板部８の内面のスクリーン印刷部１２とロゴマーク１１が表示部との境界で前板部８の材料の透明な状態が前方にやや突出するように見えるようにすれば良い。
【００１２】
また、ロゴマーク１１を設ける位置は前板部８に限定されるものではなく、天板部６などにも設けることも可能である。また、ロゴマーク１１に限定されず、絵であっても良く、あるいはロゴマーク１１と絵を併用することも可能である。
【００１３】
さらに、前記底板１の材料は合成樹脂に限定されるものではなく、金属板や木板などであっても良い。また、前記カバー５の材料も合成樹脂に限定されるものではなく、ガラス板であっても良い。また、図面に示す実施の形態では前板部８は下端側がやや前方に突出するように傾斜しているが、傾斜させずに鉛直方向に向くようにしても良い。
【図面の簡単な説明】
【００１４】
【図１】本考案の一実施の形態におけるディスプレー装置のカバーを外した状態を示す斜視図である。
【図２】同カバーの裏側から見た斜視図である。
【図３】同カバーが装着されたディスプレー装置の斜視図である。
【図４】同カバーの前板部のロゴマーク部の拡大斜視図である。
【図５】同ディスプレー装置の蛍光灯を点灯させた状態におけるロゴマーク部の拡大斜視図である。
【符号の説明】
【００１５】
１    底板
２    蛍光灯
３    照明器具
４    後板
５    カバー
６    天板部
７    側板部
８    前板部
９    後板部
１０    ねじ
１１    ロゴマーク
１２    スクリーン印刷部
１３    商品載せ台
【図１】
0003146340.tif 000003
【図２】
0003146340.tif 000004
【図３】
0003146340.tif 000005
【図４】
0003146340.tif 000006
【図５】
0003146340.tif 000007
【手続補正書】
【提出日】平成20年9月9日(2008.9.9)
【手続補正１】
【補正対象書類名】図面
【補正対象項目名】図１
【補正方法】変更
【補正の内容】
【図１】
0003146340.tif 000008
【手続補正２】
【補正対象書類名】図面
【補正対象項目名】図２
【補正方法】変更
【補正の内容】
【図２】
0003146340.tif 000009
【手続補正３】
【補正対象書類名】図面
【補正対象項目名】図３
【補正方法】変更
【補正の内容】
【図３】
0003146340.tif 000010
【手続補正４】
【補正対象書類名】図面
【補正対象項目名】図４
【補正方法】変更
【補正の内容】
【図４】
0003146340.tif 000011
【手続補正５】
【補正対象書類名】図面
【補正対象項目名】図５
【補正方法】変更
【補正の内容】
【図５】
0003146340.tif 000012